(57)【特許請求の範囲】
【請求項１】
外部熱源からの熱回収により貯湯として蓄熱するための貯湯タンクと、前記貯湯タンクに蓄熱された貯湯を前記貯湯タンクから取り出して給湯使用させるための出湯回路と、この出湯回路に介装された補助熱源機と、この補助熱源機の下流側の出湯回路において分岐されて外部熱負荷用の熱源を循環供給する熱源供給回路と、非燃焼給湯モード及び外部熱負荷制御モードを制御モードとして有する制御手段とを備え、前記外部熱負荷制御モードでは前記補助熱源機を燃焼作動させて燃焼加熱後の温水を循環手段の作動により前記熱源供給回路に循環供給する一方、前記非燃焼給湯モードでは前記補助熱源機を非燃焼に維持しつつ貯湯タンク内の温水を前記出湯回路に出湯するように構成されている温水システムであって、
前記制御手段は、前記非燃焼給湯モードの実行がユーザにより選択されている状態で、給湯要求と外部熱負荷用の熱源供給要求とが同時に出力されたとき、前記補助熱源機を燃焼作動させて外部熱負荷制御モードによる設定温度まで加熱した温水を前記出湯回路に出湯するとともに、前記出湯回路の下流端部に設けられた混水手段において上水を混合することにより前記貯湯タンク内の温水温度又は設定給湯温度のいずれか低い方の温度に温度調整した上で給湯するように構成されている、
ことを特徴とする温水システム。
【発明の詳細な説明】
【技術分野】
【０００１】
本発明は、自然エネルギーの太陽熱、ガスエンジンもしくは燃料電池等の冷却水排熱、あるいは、ヒートポンプの冷媒が有する熱等の外部熱源からの熱回収によって貯湯として蓄熱し、蓄熱された貯湯を給湯に利用したり外部熱負荷への熱源に利用したりするようにした温水システムに関し、特にユーザが意図的に燃焼作動を禁止して省エネルギー化を意識した給湯を実行している途中において暖房要求が同時に生じることにより強制的に燃焼作動されてしまうことに起因するユーザの違和感や省エネルギー化が阻害される事態の発生を回避するための技術に係る。
【背景技術】
【０００２】
従来、温水システムとして、ソーラー温水器からの温水を優先的に給湯のために使用することをユーザの選択により設定し得るソーラー優先スイッチを設け、給湯に際し、このソーラー優先スイッチがユーザによりＯＮされたときには、ソーラー温水器からの温水がたとえ設定給湯温度よりも若干低くても補助熱源機による燃焼加熱を行わずにそのまま給湯するようにすることが提案されている（例えば特許文献１参照）。そして、ソーラー温水器からの温水が設定給湯温度よりもかなり低ければ、初めて補助熱源機を燃焼作動させて設定給湯温度まで加熱した上で給湯するようにしている。これにより、実際の給湯温度が設定給湯温度よりも若干低くても、ユーザの省エネルギー指向の意図を優先させるようにしている。
【先行技術文献】
【特許文献】
【０００３】
【特許文献１】特開２００３−１４２９５号公報
【発明の概要】
【発明が解決しようとする課題】
【０００４】
ところで、太陽熱等の外部熱源を利用して貯湯タンクに貯湯として蓄熱するように構成された温水システムにおいては、その貯湯を給湯に利用する他、例えば暖房用の熱源や風呂追い焚き用の熱源等の外部熱負荷用の熱源として利用する場合がある。このような外部熱負荷用の熱源として利用する場合には、供給する温水温度として例えば８０℃程度のものが必要となるため、通常は貯湯タンク内の貯湯を取り出して補助熱源機で加熱した上で供給するようになっている。
【０００５】
しかしながら、このような外部熱負荷用の熱源として貯湯タンク内の貯湯を利用する場合には、前述の如きユーザが省エネルギー化の意図を持って給湯していたとしても、その途中で暖房要求が同時に生じると、その省エネルギー化の意図に反したり、給湯温度が変動するためにユーザに違和感や温水システムに対する不信感を抱かせたりする結果を招くおそれがある。
【０００６】
すなわち、図５の例において、貯湯タンク３００から図外の給湯栓まで給湯するための給湯路３０１，３０２，３０３に補助熱源機３０４が介装され、この補助熱源機３０４の下流側位置の給湯路３０３から暖房回路の熱交換器に熱源用温水を循環供給するための循環路３０５が分岐されている場合、特に不都合が生じることになると考えられる。つまり、給湯のために貯湯タンクから出湯される温水が補助熱源機３０４を通った上で供給されるように構成されている場合に、不都合が発生すると考えられる。
【０００７】
例えば、ユーザの省エネルギー化の意図を優先して、貯湯タンク内の温水がたとえ設定給湯温度よりも低くても、補助熱源機を非燃焼に維持したままで、貯湯タンクから取りだした温水をそのまま給湯するという非燃焼給湯モードが実行されている最中に、暖房要求が出力されると、補助熱源機が燃焼作動されてしまい、給湯のために供給される温水までもが加熱されてしまうことになる。この結果、給湯栓から出湯される給湯温度は明確に変動してユーザに違和感等を抱かせたり、給湯の分まで燃焼エネルギーを消費させてしまって省エネルギー化というユーザの意図に反したりする結果とを招くことになる。
【０００８】
本発明は、このような事情に鑑みてなされたものであり、その目的とするところは、非燃焼給湯モードの実行中に例えば暖房要求等の外部熱負荷への熱源供給要求が同時に出力されたとしても、その熱源供給要求に対応させて燃焼加熱を開始しつつも、ユーザに違和感や不信感を抱かせることがなく、かつ、ユーザの省エネルギー化の意図を尊重した給湯を実現させ得る温水システムを提供することにある。
【課題を解決するための手段】
【０００９】
前記目的を達成するために、本発明では、外部熱源からの熱回収により貯湯として蓄熱するための貯湯タンクと、前記貯湯タンクに蓄熱された貯湯を前記貯湯タンクから取り出して給湯使用させるための出湯回路と、この出湯回路に介装された補助熱源機と、この補助熱源機の下流側の出湯回路において分岐されて外部熱負荷用の熱源を循環供給する熱源供給回路と、非燃焼給湯モード及び外部熱負荷制御モードを制御モードとして有する制御手段とを備え、前記外部熱負荷制御モードでは前記補助熱源機を燃焼作動させて燃焼加熱後の温水を循環手段の作動により前記熱源供給回路に循環供給する一方、前記非燃焼給湯モードでは前記補助熱源機を非燃焼に維持しつつ貯湯タンク内の温水を前記出湯回路に出湯するように構成されている温水システムを対象にして、次の特定事項を備えることとした。
【００１０】
すなわち、前記制御手段として、前記非燃焼給湯モードの実行がユーザにより選択されている状態で、給湯要求と外部熱負荷用の熱源供給要求とが同時に出力されたとき、前記補助熱源機を燃焼作動させて外部熱負荷制御モードによる設定温度まで加熱した温水を前記出湯回路に出湯するとともに、前記出湯回路の下流端部において上水を混合することにより前記貯湯タンク内の温水温度又は設定給湯温度のいずれか低い方の温度に温度調整した上で給湯する構成とした（請求項１）。
【００１１】
本発明の場合、非燃焼給湯モードの実行がユーザにより選択されて非燃焼給湯モードが実行されている最中に、外部熱負荷制御モードが同時に実行されて補助熱源機の燃焼作動が開始されることにより、外部熱負荷制御モードによる設定温度まで加熱された温水が出湯回路に出湯されることになったとしても、給湯用としては、混水手段により混水されて貯湯温度又は設定給湯温度の低い方の温度に温度調整（温調）された温水が供給されることになる。このため、先に非燃焼給湯モードの実行により貯湯タンク内の温水がたとえ設定給湯温度よりも低くてもそのまま給湯されていた状態で、外部熱負荷制御モードの実行により燃焼加熱されたとしても、給湯温度は変わらずにそれまでと同じに維持されることになる。これにより、ユーザに違和感を感じさせたり、あるいは、省エネルギー化のために非燃焼給湯モードを選択したのに給湯温度が急に上昇することによる温水システムに対する不信感をユーザに感じさせたりするという不都合の発生を確実に回避することが可能となる。その上に、混水手段により混水させて給湯温度を貯湯温度か設定給湯温度かのいずれか低い側の温度まで低下させるようにしているため、給湯のための必要供給量が外部熱負荷制御モードが同時に実行されことになる前よりも少量になる結果、給湯のために消費される燃焼エネルギーも削減され、この分、省エネルギー化も図ることが可能となる。
【発明の効果】
【００１２】
以上、説明したように、本発明の温水システムによれば、非燃焼給湯モードの実行がユーザにより選択されて非燃焼給湯モードが実行されている最中に、外部熱負荷制御モードが同時に実行されて補助熱源機の燃焼作動が開始されることになったとしても、先に非燃焼給湯モードの実行により給湯されていたものと給湯温度は変わらずにそれまでと同じに維持させることができるようになる。これにより、ユーザに違和感を感じさせたり、あるいは、省エネルギー化のために非燃焼給湯モードを選択したのに給湯温度が急に上昇することによる温水システムに対する不信感をユーザに感じさせたりするという不都合の発生を確実に回避することができるようになる。その上に、混水手段により混水させて給湯温度を貯湯温度か設定給湯温度かのいずれか低い側の温度まで低下させるようにしているため、給湯のために消費される燃焼エネルギーを削減して、この分、省エネルギー化をも図ることができるようになる。
【図面の簡単な説明】
【００１３】
【図１】本発明の実施形態に係る温水システムの模式図である。
【図２】非燃焼給湯モードの実行中に暖房要求が出力された場合の制御内容を示すフローチャートである。
【図３】非燃焼給湯モードによる給湯動作を説明するための図１対応図である。
【図４】非燃焼給湯モードの実行中に暖房制御モードの実行が加わった場合の動作を説明するための図３対応図である。
【図５】本発明の課題を説明するためのシステムの例を模式的に示す部分説明図である。
【発明を実施するための形態】
【００１４】
以下、本発明の実施形態を図面に基づいて説明する。
【００１５】
図１は、本発明の実施形態に係る温水システムの例を示す。同図中の符号１は外部熱源として太陽熱を集熱する集熱器、２は貯湯タンク３内の温水を頂部又は底部から取り出して給湯等のために供給する出湯回路、４は外部から水道水等を給水する給水回路、５は出湯回路２からの貯湯又は補助熱源機６からの補助加熱後の湯を用いて給湯栓５０に給湯する給湯処理回路、７は出湯回路２からの湯を暖房熱源とする外部熱負荷としての暖房回路、９は同様に出湯回路２からの湯を追い焚き熱源とする他の外部熱負荷としての風呂追い焚き回路、１０はこの温水システムの作動制御を行うコントローラ、１１は集熱器１での集熱を利用する集熱利用循環回路である。
【００１６】
貯湯タンク３は密閉式に構成され、適所に貯湯の温度を検出するための貯湯温度センサ（例えば底部位置及び頂部位置の貯湯温度センサ３０，３１）が設けられている。そして、出湯回路２は、貯湯タンク３の頂部３３から温水を取り出す頂部取り出し回路部２１と、循環手段としての循環ポンプ（例えば吐出流量可変型）２２の作動により貯湯タンク３の底部３２から温水を取り出す底部取り出し回路部２３と、これら頂部取り出し回路部２１及び底部取り出し回路部２３の双方の下流端と補助熱源機６へ延びる出湯回路部２４の上流端とを接続する三方切換弁を兼ねる混合弁２５とを備えている。前記の出湯回路部２４は補助熱源機６を通過した後、後述の分岐点２６、分岐点２７を経て流量調整弁２８を介して給湯処理回路５に連通されている。
【００１７】
なお、図１の符号６１は補助熱源機６に入水される温水温度（入口温度）を検出する入口温度センサ、６２は補助熱源機６の出口から出た直後の加熱後の温水温度（出口温度）を検出する出口温度センサである。
【００１８】
給水回路４は、主給水路４１の上流端が外部の水道管等に接続され、逆止弁４２を介して下流端が貯湯タンク３の底部３２近傍位置の底部取り出し回路部２３に接続されて、貯湯タンク３の底部３２に対し給水したり、出湯回路２の下流側に給水したりすることができるようになっている。又、主給水路４１の上流側から逆止弁４３を介して分岐した混水用給水路４４が給湯処理回路５の後述の混水弁５４に対し給水可能に接続されている。なお、図１の符号４６は給水回路４により給水される水の温度を検出する給水温度センサである。
【００１９】
給湯処理回路５は、出湯回路２の給湯側の下流端部を構成するものであり、前記の出湯回路部２４の下流端に上流端が連通されて下流端側が給湯栓５０まで延びるように接続された給湯回路部５３と、この給湯回路部５３に介装された混水弁５４と、混水弁５４の下流側位置に配設された給湯流量センサ５７及び給湯温度センサ５５とを備えている。前記の混水弁５４は、給湯回路部５３の上流側からの温水と、前記の混水用給水路４４からの給水とを所定の混合比で混合（混水）させることにより所定の温度（設定給湯温度又は後述の貯湯温度）に温調した上で、給湯栓５０に給湯するものである。そして、前記の給湯温度センサ５５は、温調後に最終的に給湯させる湯の温度を検出してコントローラ１０に出力するようになっており、この給湯温度センサ５５からの出力に基づいて混水弁５４による温調のための混水制御がコントローラ１０により行われるようになっている。
【００２０】
補助熱源機６は、例えば瞬間式給湯器により構成され、出湯回路２の途中に介装されたものである。コントローラ１０からの指令により燃焼作動されると、出湯回路２の一方から流入する温水を燃焼熱により熱交換加熱して、加熱後の温水を出湯回路２の他方に出湯させることにより、出湯回路２を流れる温水を補助加熱するようになっている。補助熱源機６は、その出口側に設けられた出口温度センサ６２からの出力に基づきコントローラ１０により所定の燃焼作動制御（例えば出口温度が８０度になるように燃焼作動制御）が行われるようになっている。
【００２１】
暖房回路７は、循環用の暖房ポンプ７０の作動により膨張タンク７１から取り出された低温熱媒を分岐点７２から一側に位置する熱交換器７３で液−液熱交換により加熱して高温熱媒にし、これを高温暖房端末（例えば浴室乾燥機）７４に循環供給する高温熱媒回路７５と、前記分岐点７２から他側にバイパス熱動弁７６を介して低温暖房端末（例えば床暖房）７７，７７，…に対し低温熱媒を循環供給する低温熱媒回路７８とを備えている。加えて、高温熱媒回路７５の途中から分岐して逆止弁７９を介してバイパス熱動弁７６の下流側位置の低温熱媒回路７８に合流させる高温バイパス回路８０が設けられ、熱交換器７３で加熱された高温熱媒を、バイパス熱動弁７６を介して供給された低温熱媒に合流させて昇温させ得るようになっている。各低温暖房端末７７や高温暖房端末７４で放熱されて低温になった熱媒は前記膨張タンク７１に戻されることになる。
【００２２】
そして、前記の熱交換器７３での液−液熱交換の加熱源（暖房用熱源）として、出湯回路２の出湯回路部２４から補助熱源機６で加熱して所定温度にした湯が熱交換器７３の熱源側に循環供給されるようになっている。すなわち、開閉弁８１ａを開作動させることにより出湯回路部２４の分岐点２６から分岐した熱源供給回路８１を通して所定温度の湯が熱交換器７３に対し暖房用熱源として供給され、液−液熱交換により温度低下した湯が開閉弁８１ａを経て出湯回路２の底部取り出し回路部２３に対し導出され、この出湯回路２及び補助熱源機６を経て循環されることになる。
【００２３】
風呂追い焚き回路９は、追い焚きポンプ９１を作動させることにより浴槽９２内の浴槽水を追い焚き循環路９３を通して熱交換器９４との間で循環させ、この熱交換器９４での液−液熱交換により追い焚き加熱するようになっている。熱交換器９４の熱源側には、出湯回路部２４の分岐点２８から分岐した熱源供給回路９５を通して、補助熱源機６で加熱して所定温度にした湯が風呂追い焚き加熱用熱源として供給されるようになっている。そして、液−液熱交換により温度低下した湯が開閉弁９５ａを経て、暖房回路７と同様に、出湯回路２の底部取り出し回路部２３に対し導出され、この出湯回路２及び補助熱源機６を経て循環されることになる。
【００２４】
集熱利用循環回路１１は、集熱器１での集熱を貯湯タンク３内に設置した熱交換コイル１４との間で循環させることで貯湯タンク３内の温水を熱交換加熱して蓄熱する蓄熱循環回路１５と、前記集熱器１での集熱で暖房回路７の戻り温水を液−液熱交換式の熱交換器１６で熱交換加熱する直接循環回路１７とを備え、これらの回路１５，１７は切換弁１８により切換られて循環ポンプ１２の作動によりいずれかが運転されるようになっている。そして、熱交換後に低温となった熱媒は膨張タンク１３を経て集熱器１に供給されるようになっている。このような集熱器１での集熱を利用して貯湯として蓄熱するための蓄熱制御部をコントローラ１０は備えている。
【００２５】
以上の各回路２，５，７，９，１１の運転作動は、リモコン１０１からの入力設定信号や操作信号の出力や、種々の温度センサ３１，４６，５５，６１，６２等からの検出信号の出力を受けて、コントローラ１０により作動制御されるようになっている。コントローラ１０は、そのような作動制御のために、蓄熱制御部や、給湯制御部に加え、外部熱負荷制御部としての暖房制御部や追い焚き制御部等の種々の制御部を備えている。ここで、リモコン１０１には燃焼停止スイッチが設けられており、ユーザがこの燃焼停止スイッチをＯＮすることで、補助熱源機６を非燃焼にしたままで貯湯タンク３内の温水を部取り出し回路部２１から取り出して設定給湯温度よりも低くてもそのまま給湯する一方、設定給湯温度よりも高ければ混水弁５４にて混水して設定給湯温度に温調するという、設定給湯温度での給湯よりも貯湯を優先して給湯する非燃焼給湯モードが実行されることになる。
【００２６】
次に、給湯制御部による給湯制御や、この給湯制御中に暖房要求（外部熱負荷用の熱源供給要求）や風呂追い焚き要求（外部熱負荷用の熱源供給要求）が出力されて暖房制御（外部熱負荷制御モード）や風呂追い焚き制御（外部熱負荷制御モード）が追加される場合について説明する。給湯制御としては通常給湯モードの他に、前述の非燃焼給湯モードを備えている。以下、図２のフローチャートを参照しつつ説明する。
【００２７】
給湯要求が有るか否か、つまり給湯栓５０が開操作されたか否かを給湯流量センサ５７による検出により判定し（ステップＳ１）、給湯栓５０が開操作された場合（ステップＳ１でＹＥＳ）、燃焼停止スイッチがＯＮされているか否かを確認した上で、その結果に基づいて通常給湯モードか非燃焼給湯モードかを選択する。燃焼停止スイッチがＯＦＦのままであれば通常給湯モード、すなわちユーザがリモコン１０１に設定した設定給湯温度の湯が給湯されるように制御する（ステップＳ２でＮＯ，ステップＳ３）。
【００２８】
通常給湯モードでは、貯湯タンク３内の蓄熱量が十分であれば、具体的には貯湯温度が、ユーザがリモコン１０１に設定した設定給湯温度との対比で所定値以上高温（例えば設定給湯温度＋６度以上の高温）であれば、給水回路４からの給水圧に基づき貯湯タンク３の頂部から貯湯を頂部取り出し回路部２１から取り出して出湯回路部２４を経て混水弁５４にて混水して設定給湯温度に温調した上で給湯されることになる。一方、貯湯タンク３内の蓄熱量が不足していれば、具体的には貯湯温度が設定給湯温度との対比で所定値以上高温でなければ、補助熱源機６により補助加熱した上で給湯されることになる。
【００２９】
一方、ステップＳ２で燃焼停止スイッチがＯＮされていれば（ステップＳ２でＹＥＳ）、非燃焼給湯モードを実行する（ステップＳ４）。すなわち、補助熱源機６の燃焼を停止して、又は、補助熱源機６を非燃焼状態に維持しつつ、混合弁２５を頂部取り出し回路部２１と出湯回路部２４とが連通するように切換える。これにより、給水回路４からの給水圧に基づき貯湯タンク３の頂部から貯湯が頂部取り出し回路部２１及び出湯回路部２４を通して給湯されることになる（図３に流れが生じる部分を太い実線で表示；併せて破線の矢印参照）。なお、この際、貯湯タンク３内の貯湯温度が設定給湯温度よりも高ければ、混水用給水路４４からの水を混水弁５４において混水して設定給湯温度になるように温調することになる。
【００３０】
要するに、非燃焼給湯モードでは、そのときの貯湯温度か、設定給湯温度か、いずれか低い温度の湯が給湯されることになる。従って、そのときの貯湯温度が設定給湯温度よりもたとえ低くても、それはユーザによる燃焼停止スイッチのＯＮ操作に基づくものであって許容されるものであり、補助熱源機６を非燃焼にするというユーザの省エネルギー化の意図を優先するのである。ここで、リモコン１０１には貯湯温度が表示されるようになっており、この貯湯温度を見てユーザの意思に基づき燃焼停止スイッチをＯＮ操作することになる。例えば設定給湯温度として４０℃をユーザが設定していた場合、現在の貯湯温度が３８℃であっても、それを許容して省エネルギー化のために燃焼停止スイッチがユーザによりＯＮ操作される、というケースが想定される。
【００３１】
そして、非燃焼給湯モードの実行中に、例えばリモコン１０１の暖房スイッチがＯＮされるなどにより暖房要求が出力されると（ステップＳ５でＹＥＳ）、暖房制御モードが実行されるものの、前述の非燃焼給湯モードでの給湯温度を維持するための制御が併せて実行される（ステップＳ６）。すなわち、補助熱源機６を燃焼作動させると共に、開閉弁８１ａを開切換して、暖房用熱源として必要な設定温度（例えば８０℃）まで加熱した湯を分岐点２６から熱源供給回路８１に流入させて熱交換器７３に循環供給する（図４に流れが生じる部分を太い実線で表示；併せて一点鎖線の矢印参照）。その一方、出湯回路部２４を通して給湯処理回路５には熱交換器７３に循環供給させる温度と同じ高温の湯が供給されることになるため、混水用給水路４４からの水を混水弁５４で混水して温調することで、それまでに給湯していた温度と同じ給湯温度に維持するようにする（図４に流れが生じる部分を太い実線で表示；併せて破線の矢印参照）。つまり、貯湯温度か設定給湯温度か、いずれか低い側の温度での給湯が継続されることになる。なお、この場合には頂部取り出し回路部２１に代えて、又は、頂部取り出し回路部２１と共に、底部取り出し回路部２３からの温水を出湯回路部２４に供給するように混合弁５２を切り換えるようにしてもよい。
【００３２】
このような制御を行うことで、非燃焼給湯モードの実行中に暖房制御モードが途中で追加実行されて補助熱源機６が燃焼を開始したとしても、給湯温度は変わらずにそれまでと同じに維持され、これにより、ユーザに違和感を感じさせたり、あるいは、省エネルギー化のために燃焼停止スイッチをＯＮしたのに給湯温度が急に上昇することによる温水システムに対する不信感をユーザに感じさせたりするという不都合の発生を確実に回避することができる。その上に、混水弁５４により混水させて給湯温度を貯湯温度か設定給湯温度かのいずれか低い側の温度まで低下させるようにしているため、給湯のための必要供給量が暖房制御モードが追加される前よりも少量になる結果、給湯のために消費される燃焼エネルギーも削減させることができ、この分、省エネルギー化も図ることができるようになる。
【００３３】
＜他の実施形態＞
なお、本発明は前記各実施形態に限定されるものではなく、その他種々の実施形態を包含するものである。すなわち、貯湯タンク３に貯湯して蓄熱する熱回収の対象である外部熱源として実施形態では太陽熱（太陽熱集熱）を利用した場合を示したが、ガスエンジン（エンジン冷却水排熱）、あるいは、ヒートポンプ（冷媒の排熱）を用いて、貯湯として蓄熱するようにしてもよく、このような場合においても本発明を適用することができる。
【００３４】
さらに、前記実施形態では蓄熱の熱交換器１４が貯湯タンク３内に設置された例を示したが、これに限らず、熱交換器が貯湯タンク３の外部に設置され、この熱交換器に対し集熱利用循環回路の熱媒を熱源側に循環供給する一方、貯湯タンク３内の温水を他の循環ポンプにより被加熱側に循環供給することで、貯湯タンク内の温水が熱媒により熱交換加熱されるように構成された温水システムも本発明に含まれる。
【００３５】
前記実施形態では、非燃焼給湯モードの実行中に、暖房要求が出力されて暖房制御モードが同時に実行される場合について説明したが、これに限らず、非燃焼給湯モードの実行中に、風呂追い焚き要求（例えばリモコン１０１の追い焚きスイッチ又は風呂自動スイッチのＯＮ操作）が出力されて風呂追い焚き制御モードが同時に実行される場合についても同様の制御が行われる。すなわち、補助熱源機６で風呂追い焚き用の熱源温度として必要な設定温度まで加熱して出湯回路部２４に流して、熱源供給回路９５に分岐させて循環供給する一方、混水弁５４でそれまで同じ給湯温度になるように混水して温調した上で給湯する。従って、暖房回路７や風呂追い焚き回路９が外部熱負荷を構成し、暖房制御モードや風呂追い焚き制御モードが外部熱負荷制御モードを構成する。
【符号の説明】
【００３６】
１      集熱器（外部熱源）
２      出湯回路
３      貯湯タンク
６      補助熱源機
７      暖房回路（外部熱負荷）
９      追い焚き回路（外部熱負荷）
１０    コントローラ（制御手段）
２２    循環ポンプ（循環手段）
５４    混水手段
８１，９５  熱源供給回路
【図１】
0005601465.tif 000002
【図２】
0005601465.tif 000003
【図３】
0005601465.tif 000004
【図４】
0005601465.tif 000005
【図５】
0005601465.tif 000006